(57)【要約】【課題】マウントレールおよびキャビネット全体が優れた耐震強度を発揮することができる電気電子機器収納用フレーム式キャビネットを提供する。【解決手段】縦フレーム１と横フレーム２と奥行きフレーム３とにより直方体状のフレーム枠を形成した電気電子機器収納用フレーム式キャビネットであり、下端部が底部のフレーム枠の内側の底フレーム６に固定されたマウントレール５を備える。マウントレールは、キャビネットの前後面側に位置する機器取付用孔列３０を備える張出部と、この張出部の機器取付用孔列よりもキャビネットの左右側に位置する中空部とを備えたものである。またマウントレールは、金属板を折り曲げ成形したものである。【選択図】図３
2010267855.tif 000002
【特許請求の範囲】
【請求項１】
縦フレームと横フレームと奥行きフレームとにより直方体状のフレーム枠を形成した電気電子機器収納用フレーム式キャビネットであって、機器取付用のマウントレールが、キャビネットの前後面側に位置する機器取付用孔列を備える張出部と、この張出部の機器取付用孔列よりもキャビネットの左右側に位置する中空部とを備えたものであることを特徴とする電気電子機器収納用フレーム式キャビネット。
【請求項２】
マウントレールが、張出部と中空部との間に空間部を備えたものであることを特徴とする請求項１記載の電気電子機器収納用フレーム式キャビネット。
【請求項３】
下端部が底部のフレーム枠の内側の底フレームに固定されたマウントレールを備え、マウントレールがその上下端部にマウント金具を備え、これらのマウント金具を奥行きフレームに固定したことを特徴とする請求項１記載の電気電子機器収納用フレーム式キャビネット。
【請求項４】
奥行きフレームの高さをマウントレールの下端部よりも高い位置まで延設し、マウントレールの側面と奥行きフレームの側面との間を中空形状のマウント金具によって固定したことを特徴とする請求項２記載の電気電子機器収納用フレーム式キャビネット。
【請求項５】
マウントレールが金属板を折り曲げ成形したものであり、辺を重ねて溶接する部分に空間部を形成したことを特徴とする請求項２記載の電気電子機器収納用フレーム式キャビネット。
【請求項６】
マウントレールが、張出部と中空部との間の辺を溶接する部分としたものであることを特徴とする請求項５記載の電気電子機器収納用フレーム式キャビネット。
【請求項７】
マウントレールが、中空部におけるキャビネット内側コーナーに凹部を設けたものであることを特徴とする請求項２記載の電気電子機器収納用フレーム式キャビネット。
【発明の詳細な説明】
【技術分野】
【０００１】
本発明は、縦フレームと横フレームと奥行きフレームとを直方体状に組み合わせたフレーム式キャビネットに関するものであり、特にこれらのフレームとは別に内部にマウントレールを備えた電気電子機器収納用フレーム式キャビネットに関するものである。
【背景技術】
【０００２】
電気電子機器収納用箱体として用いられるキャビネットとしては、特許文献１に示すように、縦フレームと横フレームと奥行きフレームとを直方体状に組み合わせて骨格を形成した構造が一般的である。このような構造のキャビネットはフレーム式キャビネットと呼ばれている。
【０００３】
電気電子機器収納用フレーム式キャビネットは縦フレームに形成された機器取付用孔列を利用して内部機器を取り付ける構造のものが普通であるが、縦フレームとは別に内部にマウントレールを備えた構造のものも知られている。このようなマウントレールはフレーム間に橋渡しされた横レールに取り付けられており、上下端部は固定されていないのが普通であった。このためマウントレールに機器を取り付けた場合の荷重は横レールを介してフレームで支持されることとなり、特に底部のフレーム間を接続するコーナー部材に荷重が集中することとなる。このため耐震等を考慮してキャビネット全体の強度を向上させるためには、このような従来構造では十分ではなかった。
【０００４】
そこで出願人は特許文献２に示すように、マウントレールの下端部を奥行フレームから一体に延びている底フレームに固定し、キャビネット全体の強度を向上させたフレーム式キャビネットを開発した。しかし特許文献２のマウントレールは鋼板を単に折り曲げ成形しただけのものであるため、マウントレール自体の強度が十分でないという問題を残していた。
【先行技術文献】
【特許文献】
【０００５】
【特許文献１】特開平５−２７６６１３号公報
【特許文献２】特許第３６９９６６８号公報
【発明の概要】
【発明が解決しようとする課題】
【０００６】
本発明は上記した従来の問題点を解決し、地震等による振動を受けた場合にもマウントレールおよびキャビネット全体が優れた耐震強度を発揮することができる電気電子機器収納用フレーム式キャビネットを提供することを目的とするものである。
【課題を解決するための手段】
【０００７】
上記の課題を解決するためになされた本発明は、縦フレームと横フレームと奥行きフレームとにより直方体状のフレーム枠を形成した電気電子機器収納用フレーム式キャビネットであって、機器取付用のマウントレールが、キャビネットの前後面側に位置する機器取付用孔列を備える張出部と、この張出部の機器取付用孔列よりもキャビネットの左右側に位置する中空部とを備えたものであることを特徴とするものである。
【０００８】
請求項２のように、マウントレールが、張出部と中空部との間に空間部を備えたものであることが好ましく、また請求項３のように、下端部が底部のフレーム枠の内側の底フレームに固定されたマウントレールを備え、マウントレールがその上下端部にマウント金具を備え、これらのマウント金具を奥行きフレームに固定したものであることが好ましい。
【０００９】
また請求項４のように、奥行きフレームの高さをマウントレールの下端部よりも高い位置まで延設し、マウントレールと奥行きフレームとの間を中空形状のマウント金具によって略同じ高さで固定することが好ましく、また請求項５のように、マウントレールが金属板を折り曲げ成形したものであり、辺を重ねて溶接する部分に空間部を形成したことが好ましい。
【００１０】
また請求項６のように、マウントレールが張出部と中空部との間の辺を溶接する部分としたものであることが好ましく、さらに請求項７のように、マウントレールが中空部におけるキャビネット内側コーナーに凹部を設けたものであることが好ましい。
【発明の効果】
【００１１】
本発明の電気電子機器収納用フレーム式キャビネットは、機器取付用のマウントレールはキャビネットの前後面側に位置する機器取付用孔列を備える張出部と、この張出部の機器取付用孔列よりもキャビネットの左右側に位置する中空部とを備えたものであり、中空部を設けたことによってマウントレール自体の強度が増加する。このためキャビネットの耐震性を向上させることができる。
【００１２】
請求項２のように、マウントレールの張出部と中空部との間に空間部を形成しておけば、この空間部をキャビネット内部の配線空間として利用することができる。
【００１３】
請求項３のように、下端部が底部のフレーム枠の内側の底フレームに固定されたマウントレールを備え、マウントレールがその上下端部にマウント金具を備え、これらのマウント金具を奥行きフレームに固定した構造とすれば、マウントレールに機器を取り付けた場合の荷重を底フレームに分散させることができ、従来のようにフレーム枠に荷重が集中しない。しかもマウントレールを強固に固定することができる。
【００１４】
請求項４のように、奥行きフレームの高さをマウントレールの下端部よりも高い位置まで延設し、マウントレールの側面と奥行きフレームの側面との間を中空形状のマウント金具によって固定した構造とすれば、マウントレールの下端部を側方からも強固に固定することができる。
【００１５】
請求項５のように、マウントレールが金属板を折り曲げ成形したものであり、辺を重ねて溶接する部分に空間部を形成した構造とすれば、強度が弱い端部を補強しつつ溶接も容易に行うことができる。
【００１６】
請求項６のように、マウントレールの張出部と中空部との間の辺を溶接部とすれば、スポット溶接等の溶接作業が容易となる。
【００１７】
請求項７のように、マウントレールが中空部におけるキャビネット内側コーナーに凹部を設けた構造としておけば、配線ダクト等の機器を取り付けることができる。
【図面の簡単な説明】
【００１８】
【図１】本発明の実施形態を示すキャビネットの全体斜視図である。
【図２】キャビネット底部の斜視図である。
【図３】図２の部分拡大図である。
【図４】縦フレームの断面を示す斜視図である。
【図５】縦フレームの断面形状の変形例を示す断面図である。
【発明を実施するための形態】
【００１９】
以下に本発明の実施形態を説明する。
図１に示すように、本発明の電気電子機器収納用フレーム式キャビネットは、４本の縦フレーム１と４本の横フレーム２と４本の奥行フレーム３とを直方体状に組み合わせ、キャビネットの骨格となるフレーム枠を形成したものである。この実施形態では各フレームを構成するフレーム部材はアルミニウムの押し出し材である。各フレームの端部はコーナー部材４に当接され、コーナー部材４側からねじ止め固定されている。このほか本発明では、機器取付用のマウントレール５がフレーム枠の内側に設けられている。マウントレール５については後述する。
【００２０】
横フレーム２と奥行フレーム３とによってキャビネットの底面が形成されているが、本発明ではさらに底フレーム６を縦フレーム１の近傍のキャビネット内面に設けてある。底フレーム６はほぼ平板状のもので好ましくは鋼板を折り曲げ成形したものである。底フレーム６はコーナー部材４の突出部と重ね合わされてアンカーボルトにより床面等に固定される。これにより地震による地面や床面などの設置面の動きを底フレーム６の全体で受けることができ、従来よりも耐震性を向上させることができる。
【００２１】
図２と図３は、マウントレール５の下端部の固定構造を示す図である。図示のように、マウントレール５の下端部はマウント金具７の下辺８の上に載せられてボルト９によって底フレーム６の上面に固定し、中空形状のマウント金具７の側面とマウントレール５の側面とをボルト１０ｂにより固定するとともに、中空形状のマウント金具７の側面を奥行フレーム３の側面にボルト１０ａにより固定することによって、奥行フレーム３にも固定されている。なお奥行きフレーム３の高さはマウントレール５の下端部よりも高い位置まで延設され、マウントレール５の側面と奥行きフレーム３の側面との間をマウント金具７によって固定してある。
【００２２】
このようにマウントレール５の下端部をマウント金具７によって底フレーム６と奥行フレーム３とに固定した構造によって、マウントレール５に機器を取り付けた場合の荷重を奥行フレーム３と底フレーム６に分散させることができ、従来のようにフレーム枠に荷重が集中しない。しかもマウントレールの下端部を側方からも強固に固定することができ、耐震性を高めることができる。
【００２３】
この実施形態のマウントレール５は、図４に示す断面形状である。本発明のマウントレール５は好ましくは鋼板である金属板を折り曲げ成形したもので、横フレーム２と平行な第１辺１１、これに隣接し奥行きフレーム３と平行な第２辺１２、これに隣接し第１辺１１と平行な短い第３辺１３、これに隣接し第２辺１２と平行な第４辺１４、これに順次隣接する第５辺１５、第６辺１６、第７辺１７によって第２辺１２の内側に形成された略四角形の中空部２０、第７辺１７に隣接し第２辺１２の内側に密着する第８辺１８とによって構成されている。第１辺１１および第２辺１２には付属機器取付用孔列３１が形成されている。第１辺である張出部のキャビネット内側端部には機器取付用孔列３０が形成されている。第１辺１１はキャビネットの前後面側に位置する張出部であり、中空部２０はこの張出部の機器取付用孔列３０よりもキャビネットの左右側に位置することとなる。
【００２４】
第２辺１２と第８辺１８とを重ねた部分がスポット溶接された溶接部２１である。この部分は第８辺１８の長さ分の空間部となっており、強度が弱い端部を補強しつつ溶接作業が容易に行えるようになっている。またマウントレール５のキャビネット内側コーナーに、凹部２２を設けた構造となっている。中空部２０はマウントレール５の強度を高める機能を有する。また凹部２２は配線ダクト等の付属機器の取り付けに利用することができ、キャビネット内部の配線空間として利用することもできる
【００２５】
マウントレール５の断面形状は図５に示すように様々に変形可能である。図５のＡは図４に示した形状であるが、図５のＢはＡの形状における第１辺１１を第８辺１８の先端に形成した構造である。また図５のＣはＡの形状における第８辺１８の先端にさらに第９辺１９を設けた形状である。更に図５のＤＥＦは、ＡＢＣに対応する形状であるが、第３辺１３に相当する部分を１８０°のヘミング曲げとしたものである。
【００２６】
いずれの断面形状であっても、張出部、張出部のキャビネット内側端部に形成した機器取付用孔列３０、中空部２０、溶接部２１、凹部２２を備えている。
【００２７】
本発明ではこのような断面形状を持つマウントレール５を用いたので、マウントレール５自体の強度を高めることができ、しかもマウントレール５が受ける荷重を底フレーム６に分散させることができ、従来のようにフレーム枠に荷重が集中しないので、キャビネット全体の耐震性を向上させることが可能となる。
【符号の説明】
【００２８】
１  縦フレーム
２  横フレーム
３  奥行フレーム
４  コーナー部材
５  マウントレール
６  底フレーム
７  マウント金具
８  下辺
９  ボルト
１０  ボルト
１１  第１辺
１２  第２辺
１３  第３辺
１４  第４辺
１５  第５辺
１６  第６辺
１７  第７辺
１８  第８辺
１９  第９辺
２０  中空部
２１  溶接部
２２  凹部
３０  機器取付用孔列
３１  付属機器取付用孔列
【図１】
2010267855.tif 000003
【図２】
2010267855.tif 000004
【図３】
2010267855.tif 000005
【図４】
2010267855.tif 000006
【図５】
2010267855.tif 000007